(57)【特許請求の範囲】
【請求項１】
蓋とキーホルダ用第１ループ状部とが一体成形された上ケースと、収納体とキーホルダ用第２ループ状部とが一体成形された下ケースと、電池を含む電子回路を収納すると共に、互いにインロー嵌め込み可能な前記蓋と前記収納体との該インロー嵌め込み可能部外に位置する前記第１ループ状部及び第２ループ状部の合わせ面に、外部からループ状部内に貫通して形成され、コインを前記第１ループ状部及び第２ループ状部の内側まで挿入可能な形状寸法である板状物貫通孔とを備えたことを特徴とする電子部品収納用小ケース。
【請求項２】
前記上ケースのキーホルダ用第１ループ状部と下ケースのキーホルダ用第２ループ状部との合わせ面の双方に凹溝を設け、該第１ループ状部及び第２ループ状部を合わせることによって前記板状物貫通孔が形成されることを特徴とする請求項１記載の電子部品収納用小ケース。
【発明の詳細な説明】
【０００１】
【発明の属する技術分野】
この発明は、電子部品収納用小ケースに関するものである。
【０００２】
【従来の技術】
例えば自動車などに、近年、鍵を使わずに遠隔操作でドアを開閉できるようにしたキーレスエントリーシステムを装備したものがある。該キーレスエントリーシステムでは、小型の送信器を用いてドアの開閉を行う。
【０００３】
これらのキーレスエントリーシステムの送信器は、ポケットに入る程度の大きさの樹脂製の小ケースに電子回路基板やボタン電池などの電子部品を収納している。
【０００４】
上記小ケースは、電池交換などができるようにするために、開閉可能な構造とされるのが普通である。この際、ネジを外して開くようにした構造のものが市販されている。しかしながら、安価でかつ簡単に製造できるようにするためには、ネジを外さずに開けられるようにする方が有利である。
【０００５】
そのために、図６〜図１１に示すような電子部品収納用小ケース１が用いられている。即ち、図６〜図９に示すような蓋板２と該蓋板２の縁部から起立する周壁３とを有する上ケース４を設けると共に、底板５と該底板５の縁部から起立する周壁６とを有する下ケース７を設ける。
そして、前記周壁３、周壁６に、上ケース４と下ケース７をインロー嵌め可能なインロー嵌合部９，１０を形成する。
【０００６】
さらに、インロー嵌合部９の外周面には、周方向へ延びる係止用爪部１１が間隔を置いて複数形成されると共に、インロー嵌合部１０の内周面のうち前記各係止用爪部１１に対応する位置に、係止用爪部１１を係止する複数の係止溝部１２がそれぞれ形成されている。なお、前記係止用爪部１１は、前記インロー嵌合部９の外周面から直角に突設され、かつ該外周面全体に沿って形成された段差部８へ向いた側に係止用垂直面１３が段差部８に平行に形成され、その反対側に係止溝部１２への嵌合を容易にするための傾斜面１４が形成されている。
【０００７】
そして、上ケース４の段差部８と、下ケース７の周壁６との間の合わせ面の位置にコインなどの板状物２２の周縁部の一部を差込むための板差し込み用凹部１５が形成されている。
【０００８】
なお、図１０に示すように電子部品収納用小ケース１の上ケース４には、図中上側の部分にキーホルダー機能をなすための孔１６を形成するループ状部１７が形成されている。
また、コインなどの板状物２２の周縁部の一部を挿入するための板差し込み用凹部１５は、上ケース４のループ状部１７の一方の付け根部分の近傍に形成されている。なお、図中、２１は下ケース７に形成された電池の外形よりも若干大きめに形成された円周状の電池係止壁である。
【０００９】
かかる構成によれば、図８に示すように、上ケース４の周壁３に形成されたインロー嵌合部９を下ケース７の周壁６に形成されたインロー嵌合部１０の内部へ嵌合し、上ケース４のインロー嵌合部９に形成した係止用爪部１１を下ケース７のインロー嵌合部１０に形成した係止凹溝部１２へ係止させることにより、上ケース４と下ケース７とが係止されて電子部品収納用小ケース１となる。
【００１０】
反対に、図１０に示すように、上ケース４のループ状部１７の一方の付け根部分に形成された板差し込み用凹部１５へコインなどの板状物２２の一部を挿入して、その板状物２２を捻ると、図１１に示すように、板差し込み用凹部１５と隣接する位置にある係止用爪部１１が係止溝１２から外れ、上ケース４と下ケース７との間に僅かの隙間ｅが出来るので、該隙間ｅに両方の親指の爪を差し込んでこじ開けることにより、上ケース４と下ケース７とが二つに分かれる。
【００１１】
この状態で電池交換などを行い、再び、図８のようにして上ケース４と下ケース７とを嵌合し、係止用爪部１１を係止溝部１２へ係止させることにより、電子部品収納用小ケース１を組み立てる。
【００１２】
【発明が解決しようとする課題】
従来の電子部品収納用小ケースは、板差し込み用凹部１５を深くしてコインなどの板状物２２との係止状態を良好にして、捻り易くしようと考えた場合、電子部品収納用小ケース１の周壁３の肉厚を厚くしなくては溝の深い凹部を形成することができず、肉厚を厚くした分、ケースの外形が大きくなってしまう恐れあった。
そのために、ケースの小型化を優先し、肉厚が薄くなってしまった場合には、コインなどの板状物２２との係止状態が浅くなってしまい、上ケース４と下ケース７との嵌合を外すときは、板状物２２が板差し込み用凹部１５から外れないように、また凹部１５の角部を板状物２２で破壊しないように注意して板状物２２を捻らなくてはならないという煩わしさがあった。
【００１３】
この発明は、上記のような課題を解決するためになされたもので、ケースの周壁の肉厚を厚くしなくても、開けようとしたときには小さな外力で容易に開けることができ、また衝撃などによっては簡単に開かないようにすることができる電子部品収納用小ケースを得ることを目的とする。
【００１４】
【課題を解決するための手段】
本発明は、蓋とキーホルダ用第１ループ状部とが一体成形された上ケースと、収納体とキーホルダ用第２ループ状部とが一体成形された下ケースと、電池を含む電子回路を収納すると共に、互いにインロー嵌め込み可能な前記蓋と前記収納体との該インロー嵌め込み可能部外に位置する前記第１ループ状部及び第２ループ状部の合わせ面に、外部からループ状部内に貫通して形成され、コインを前記第１ループ状部及び第２ループ状部の内側まで挿入可能な形状寸法である板状物貫通孔とを備えたものである。
【００１５】
第２の発明は、前記上ケースのキーホルダ用第１ループ状部と下ケースのキーホルダ用第２ループ状部との合わせ面の双方に凹溝を設け、該第１ループ状部及び第２ループ状部を合わせることによって前記板状物貫通孔が形成されるものである。
【００１６】
【発明の実施の形態】
以下、この発明を図１〜図５に示す、車両ドアのロック操作、アンロック操作を遠隔操作で行う携帯用送信器を例にとって説明する。
すなわち、図に示す携帯用送信器の樹脂製電子部品収納用小ケース３０は、外部操作ノブ取付窓３１ａ，３１ｂが穿設された蓋板３１と、該蓋板３１の縁部から起立する周壁３２と、この周壁３２から外部へ突出するキーホルダ用第１ループ状部３３とが一体成形されてなる樹脂製上ケース３４（図１（Ａ）参照）、及び底板３５と、該底板３５の縁部から起立する周壁３６と、前記上ケース３４に設けられたキーホルダ用第１ループ状部３３と同一形状をなし、互いに組み付けられて電子部収納用小ケース３０のキーホルダ機能を発揮するように周壁３６から外部へ突出するキーホルダ用第２ループ状部３７とが一体成形されてなる樹脂製下ケース３８から構成されている。
【００１７】
そして、前記第１ループ状部３３及び第２ループ状部３７の中央部の第１ループ状部３３及び第２ループ状部３７の合わせ面に外部からループ状部内に貫通して貫通孔４０が形成されている。
なお、この貫通孔４０は、前記第１ループ状部３３及び第２ループ状部３７の合わせ面の双方（又は何れか一方）に内外部を連通する凹溝３３ａ，３７ａが設けられ、その凹溝３３ａ，３７ａを合わせることによって形成される（図２参照）。
【００１８】
また、前記周壁３２，３６に、上ケース３４と下ケース３８をインロー嵌め可能なインロー嵌合部４１，４２を形成する（なお、図では上ケース３４のインロー嵌合部４１が凸側、下ケース３８のインロー嵌合部４２が凹側となっているが、反対であっても良い）。
【００１９】
さらに、インロー嵌合部４１の外周面には、周方向へ延びる係止用爪部４３が間隔を置いて複数形成されると共に、インロー嵌合部４２の内周面のうち前記各係止用爪部４３に対応する位置に、係止用爪部４３を係止する複数の係止溝部４４がそれぞれ形成されている。なお、５０は下ケース３８に形成された電池の外形よりも若干大きめに形成された円周状の電池係止壁である。なお、前記蓋板３１と周壁３２とによって蓋体が形成され、また底板３５と周壁３６によって収納体が構成されている。
【００２０】
かかる構成によれば、図４及び図５に示すように、上ケース３４の周壁３２に形成されたインロー嵌合部４１を、下ケース３８の周壁３６に形成されたインロー嵌合部４２の内部へ嵌合し、上ケース３４のインロー嵌合部４１に形成した係止用爪部４３を下ケース３８のインロー嵌合部４２に形成した係止凹溝部４４へ係止させることにより、上ケース３４と下ケース３８とが係止されて電子部品収納用小ケース３０となる。
また、上ケース３４の第１ループ状部３３と、下ケース３８の第２ループ状部３７とによってリング取付孔５１が形成されており、必要に応じてこのリング取付孔５１を利用することによって、キーを取り付けるためのキーホルダ５２を取り付ける（図１（Ｂ）参照）。
【００２１】
反対に、図５に示すように、上ケース３４の第１ループ状部３３と、下ケース３８の第２ループ状部３７との合わせ面に形成された貫通孔４０に、コインなどの板状物３９の一部、例えばコインにあっては、従来は周縁のほんの一部分であったのに対して本願発明のものではコインの幅びろの部分まで、例えば全面積の１／４程を挿入し、その板状物３９であるコインを図５に矢印Ａで示す方向に捻ると、幅びろの両端縁部が上ケース３４の第１ループ状部３３と、下ケース３８の第２ループ状部３７との合わせ面の双方に当接して大きな回転力を発揮することになるので、小さな捻り力によって、上ケース３４と下ケース３８とを二つに分けることができる。
【００２２】
この状態で電池交換などを行い、再び、図４のようにして上ケース３４と下ケース３８とを嵌合し、係止用爪部４３を係止溝部４４へ係止させることにより、電子部品収納用小ケース３０を組み立てる。
【００２３】
また、図１（Ｂ）に示すようにキーホルダ５２をリング取付孔５１に通している場合には、キーホルダ５２をリング取付孔５１の角部に位置せしめることによってコインなどの板状物３９の差し込みには邪魔にはならない。
【００２４】
【発明の効果】
以上のように、この第１の発明によれば、蓋とキーホルダ用第１ループ状部とが一体成形された上ケースと、収納体とキーホルダ用第２ループ状部とが一体成形された下ケースと、電池を含む電子回路を収納すると共に、互いにインロー嵌め込み可能な前記蓋と前記収納体との該インロー嵌め込み可能部外に位置する前記第１ループ状部及び第２ループ状部の合わせ面に、外部からループ状部内に貫通して形成され、コインを前記第１ループ状部及び第２ループ状部の内側まで挿入可能な形状寸法である板状物貫通孔とを備えた構成としたので、インロー嵌め込みを行う蓋と収納体との周壁の肉厚には何ら左右されることなく、コインなどの板状物をループ状部の合わせ目に十分に差し込み、良好な係止状態とすることができるため、小さな外力を加えるだけで容易にケースを開けることができるという効果がある。
また小さな外力で開けることができるので、衝撃などによっては簡単に開かないようにケースの嵌合力を従来よりも強くすることができるという効果がある。
第２の発明によれば、双方のループ状部の凹溝の周壁の強度を同一にでき、板状物の捻り操作力を均等に受けるので、一方のみが破壊されることがないという効果がある。
【図面の簡単な説明】
【図１】（Ａ）はこの発明の実施の形態１の電子部品収納用小ケース３０の上ケースの底面図であり、（Ｂ）はキーホルダ５２が取り付けられたときの貫通孔４０へのコイン差し込み時の状態説明図である。
【図２】本発明における要部断面説明図、即ち図１（Ａ）におけるＡＡ線断面図である。
【図３】この発明の実施の形態１の電子部品収納用小ケース３０の下ケースの底面図である。
【図４】本発明の実施の形態１の電子部品収納用小ケースを組み立てる作動を示す概略斜視図である。
【図５】本発明の実施の形態１の電子部品収納用小ケースを開く状態を示す概略正面図である。
【図６】従来例の実施の形態１の電子部品収納用小ケースのかかる上ケースの底面図である。
【図７】従来例の電子部品収納用小ケースのかかる下ケースの底面図である。
【図８】従来例の電子部品収納用小ケースの部分断面図である。
【図９】従来例の電子部品収納用小ケースを組み立てる作動を示す概略斜視図である。
【図１０】従来例の電子部品収納用小ケースを分解する作動を示す概略斜視図である。
【図１１】従来例の電子部品収納用小ケースを開く状態を示す概略正面図である。
【符号の説明】
１，３０  電子部品収納用小ケース
２，３１  蓋板
３，６，３２，３６  周壁
４，３４  上ケース
５，３５  底板
７，３８  下ケース
８  段差部
９，１０，４１，４２  インロー嵌合部
１１，４３  係止用爪部
１２  係止溝部
１３  係止用垂直面
１４  傾斜面
１５  差込み用凹部
１６  孔
１７，３３，３７  ループ状部
２２，３９  板状物
３１ａ，３１ｂ  外部操作ノブ取付窓
３３ａ，３７ａ  凹溝
４０  貫通孔
４４  係止溝部
５０  電池係止壁
５１  リング取付孔
５２  キーホルダ
【図１】
0004024403.tif 000002
【図２】
0004024403.tif 000003
【図３】
0004024403.tif 000004
【図４】
0004024403.tif 000005
【図５】
0004024403.tif 000006
【図６】
0004024403.tif 000007
【図７】
0004024403.tif 000008
【図８】
0004024403.tif 000009
【図９】
0004024403.tif 000010
【図１０】
0004024403.tif 000011
【図１１】
0004024403.tif 000012